(57)【要約】  【課題】蒸発皿を引き出す際、自動販売機の外扉を開けてから蒸発皿を引き出すことになるため蒸発皿の引出し動作をスムーズに行うことができないという課題がある。  【解決手段】ユニットベース４に前方に庫外熱交換器２を備え下方に蒸発皿５を配置するためにユニットベース４の載置部を庫外熱交換器２の取付け面よりも下げた位置に配置することで、自動販売機の外扉を開放することなく蒸発皿５を引き出すことができ、作業性を向上させることができる自動販売機ドレン水蒸発装置を提供できるものである。【選択図】図１
2007225249.tif 000002
【特許請求の範囲】
【請求項１】
商品収納室内に庫内熱交換器、商品収納室外に圧縮機、冷媒流路切替機構、庫外熱交換器、膨張機構、庫外ファンを有し、前記冷媒流路切替機構で冷媒流路を切り替えることで、庫内収納商品を冷却、加熱するヒートポンプの冷凍サイクルで、前記庫外熱交換器に生じたドレン水を蒸発処理する蒸発皿を備えた自動販売機のドレン水蒸発装置において、前記商品収納室外のユニットベースには前方から前記庫外熱交換器、前記庫外ファン、前記圧縮機の順に配置され、前記蒸発皿は前記庫外熱交換器の下部で前記ユニットベースに載置され、前記蒸発皿が前方に引出し可能になるように前記ユニットベースの前記蒸発皿の載置部を前記庫外熱交換器の取付け面よりも下げた位置にしたことを特徴とする自動販売機のドレン水蒸発装置。
【請求項２】
商品収納室内に庫内熱交換器、商品収納室外に圧縮機、冷媒流路切替機構、庫外熱交換器、膨張機構、庫外ファンを有し、前記冷媒流路切替機構で冷媒流路を切り替えることで、庫内収納商品を冷却、加熱するヒートポンプの冷凍サイクルで、前記庫外熱交換器に生じたドレン水を蒸発処理する蒸発皿を備えた自動販売機のドレン水蒸発装置において、前記商品収納室外のユニットベースには前方から前記庫外熱交換器、前記庫外ファン、前記圧縮機の順に配置され、前記蒸発皿は前記庫外熱交換器の下部でエンドプレートに両側を囲まれて配置したことを特徴とする自動販売機のドレン水蒸発装置。
【請求項３】
エンドプレートに孔を形成し、前記孔にエンドプレートよりも外側に飛び出した庫外熱交換器のリターンベンドのドレン水を受けるように樋部材を挿入し、前記樋部材の下端部を蒸発皿に連通するように配置したことを特徴とする請求項２に記載の自動販売機のドレン水蒸発装置。     
【請求項４】
蒸発皿の幅寸法は庫外熱交換器の左右のリターンベンド間幅以上に形成され、エンドプレートは前記蒸発皿上部で段部を形成して覆うように備えられ、前記段部に開口部を形成したことを特徴とする請求項２に記載の自動販売機のドレン水蒸発装置。
【発明の詳細な説明】
【技術分野】
【０００１】
本発明は缶・びん入り飲料商品などを販売するヒートポンプ冷凍サイクル式自動販売機のドレン水蒸発装置に関するものである。
【背景技術】
【０００２】
従来この種の自動販売機のドレン水蒸発装置で、庫外熱交換器の風洞内に蒸発皿を組み込み、風洞に付設したファンによりドレン水を蒸発させる特許文献１のものがある。
【０００３】
図４は特許文献１に記載された従来のドレン水蒸発装置の構成斜視図である。図４に示すように、ドレン水蒸発装置は圧縮機１、風冷式の庫外熱交換器２、庫外熱交換器用のファン３をユニットベースの４上に据え付けた構造となる。
【０００４】
以上のように構成された自動販売機のドレン水蒸発装置について、以下その動作を説明する。
【０００５】
まず、冷凍機の運転中に蒸発皿５に導かれたドレン水は風洞６に組み合せたファン３の吸い込み風が蒸発皿５の上面側に直接流れるとともに、蒸発皿５が庫外熱交換器２からの放熱を受けて加温され、その相乗効果でドレン水の蒸発が効果的に促進される。また、風洞に対して蒸発皿を前方あるいは側方より引出し可能に組み込むことにより蒸発皿５の清掃も簡単に行える。
【特許文献１】特開平１１−３０６４３０号公報
【発明の開示】
【発明が解決しようとする課題】
【０００６】
しかしながら、上記従来の構成では、蒸発皿は凝縮器の下面側に挿入して風胴から前方、もしくは側方へ引出し可能に組み込まれているのでスペース効率がよいが、側方から引き出す場合、蒸発器のエンドプレートを蒸発皿の側部まで延ばすことができず、凝縮器の庫外ファンによる熱交換効率を低減させるという課題があった。
【０００７】
また蒸発皿を前方から引出し可能にしているが、従来例の構成の場合、平板状のユニットベースに載置した蒸発皿を引き出すので、引き出す動作として自動販売機の外扉を開けてから蒸発皿を引き出すことになる。このため蒸発皿の引出し動作をスムーズに行うことができないという課題があった。
【０００８】
本発明は、上記従来の課題を解決するもので、蒸発皿の引出し動作を外扉を開けずに簡単に行うことができ、また庫外熱交換器の熱交換効率を向上した自動販売機のドレン水蒸発装置を提供することを目的とする。
【０００９】
また、庫外熱交換器に結露したドレン水を漏水することなく蒸発皿に回収することができるように庫外熱交換器のエンドプレートを改良したドレン水蒸発装置を提供することを目的とする。
【課題を解決するための手段】
【００１０】
上記従来の課題を解決するために、本発明の自動販売機のドレン水蒸発装置は、ユニットベースに前方に庫外熱交換器を備え下方に蒸発皿を配置するためにユニットベースの蒸発皿の載置部を庫外熱交換器の取付け面よりも下げた位置に配置したものである。
【００１１】
これによって、自動販売機の外扉を開放することなく蒸発皿を引き出すことができ、作業性を向上させることができる。
【００１２】
また庫外熱交換器のエンドプレートを下方まで延ばして蒸発皿の側面を囲むように配置しているので、庫外ファンと庫外熱交換器の間の送付効果を高め、庫外熱交換器の熱交換効率を向上させることができるとともに、蒸発皿の蒸発性能を向上できる。
【００１３】
また、庫外熱交換器を形成するエンドプレートやリターンベンドに発露する水もエンドプレート下部を蒸発皿形状に対応して構成し、またリターンベンドの水を受けるように受け皿をエンドプレートに構成したので、漏水なく蒸発皿に回収することができる。
【発明の効果】
【００１４】
本発明の自動販売機のドレン水蒸発装置は庫外熱交換器の下方に設けた蒸発皿を外扉を開けることなく前方より引出し可能となるため、蒸発皿の清掃が可能となり、作業性が向上する。
【００１５】
また、蒸発皿を庫外熱交換器のエンドプレートで両側を囲むことで蒸発能力を増加させることが出来る。
【００１６】
また、リターンベンド下方にリターンベンドからのドレン水を回収する構成を設けることで、結露したドレン水を漏水することなく蒸発皿に回収することができる。
【発明を実施するための最良の形態】
【００１７】
請求項１に記載の発明は、商品収納室内に庫内熱交換器、商品収納室外に圧縮機、冷媒流路切替機構、庫外熱交換器、膨張機構、庫外ファンを有し、前記冷媒流路切替機構で冷媒流路を切り替えることで、庫内収納商品を冷却、加熱するヒートポンプの冷凍サイクルで、前記庫外熱交換器に生じたドレン水を蒸発処理する蒸発皿を備えた自動販売機のドレン水蒸発装置において、前記商品収納室外のユニットベースには前方から前記庫外熱交換器、前記庫外ファン、前記圧縮機の順に配置され、前記蒸発皿は前記庫外熱交換器の下部で前記ユニットベースに載置され、前記蒸発皿が前方に引出し可能になるように前記ユニットベースの前記蒸発皿の載置部を前記庫外熱交換器の取付け面よりも下げた位置にすることで、蒸発皿の清掃時にユニット全体を取り出すことなく、また外扉を開けることなく蒸発皿の清掃が可能となり、作業性を向上させる。
【００１８】
請求項２に記載の発明は、商品収納室内に庫内熱交換器、商品収納室外に圧縮機、冷媒流路切替機構、庫外熱交換器、膨張機構、庫外ファンを有し、前記冷媒流路切替機構で冷媒流路を切り替えることで、庫内収納商品を冷却、加熱するヒートポンプの冷凍サイクルで、前記庫外熱交換器に生じたドレン水を蒸発処理する蒸発皿を備えた自動販売機のドレン水蒸発装置において、前記商品収納室外のユニットベースには前方から前記庫外熱交換器、前記庫外ファン、前記圧縮機の順に配置され、前記蒸発皿は前記庫外熱交換器の下部でエンドプレートに両側を囲まれて配置することでファンの吸い込み風を風路外に漏らすことなく、蒸発皿に当てることで、蒸発能力を増加させ、且つ構成を簡易に形成できるので製造時の作業性を向上できる。
【００１９】
請求項３に記載の発明は、請求項２に記載の発明において、エンドプレートに孔を形成し、前記孔にエンドプレートよりも外側に飛び出した庫外熱交換器のリターンベンドのドレン水を受けるように樋部材を挿入し、前記樋部材の下端部を蒸発皿に連通するように配置することでリターンベンドへのドレン水を受けることが出来るためドレン水の庫外への漏水を防ぎ、品質を向上させることができる。
【００２０】
請求項４に記載の発明は、請求項２に記載の発明において、蒸発皿の幅寸法は庫外熱交換器の左右のリターンベンド間幅以上に形成され、エンドプレートは前記蒸発皿上部で段部を形成して覆うように備えられ、前記段部に開口部を形成することで構造を簡易に形成できるので製造時の作業性を向上できる。
【００２１】
（実施の形態１）
図１は、本発明の実施の形態１における自動販売機のドレン水蒸発装置の構成斜視図である。
【００２２】
図１において、ユニットベース４には前方から庫外熱交換器２、ファン３、圧縮機１の順に配置され、蒸発皿５は庫外熱交換器２の下部でユニットベース４に載置され、蒸発皿５が前方に引出し可能になるようにユニットベース４の載置部を庫外熱交換器２の取付け面よりも下げた位置に設置している。また、蒸発皿５が前方に引出し可能になるため、庫外熱交換器４のエンドプレート７は隙間なくユニットベース４上に配置できる。
【００２３】
以上のように構成された自動販売機のドレン水蒸発装置について、以下その動作、作用を説明する。
【００２４】
ヒートポンプの冷凍サイクルでは、加温運転中、庫外熱交換器２は外気よりも低温となり、外気の温度及び湿度が高い場合は外気の露点温度は高くなり、庫外熱交換器２に外気が触れると、庫外熱交換器２の表面に水分が結露する。結露した水分は滴下し、蒸発皿５に滞留する。その際、エンドプレート７は隙間なくユニットベース上に配置されているため、ファン３の風路に隙間はなくなり、ファン３の吸い込み風が蒸発皿５の上面側に直接流れるとともに、蒸発皿５が庫外熱交換器２からの放熱を受けて加温され、その相乗効果でドレン水の蒸発が効果的に促進される。
【００２５】
また、蒸発皿５は前方より抜き取りが可能なため、蒸発皿５の清掃をする際、ユニットベース４を抜き取る必要がなく、また、庫外熱交換器２の取付け面よりも下げた位置に蒸発皿５は設置されているため、外扉も開放せずに外扉の下部隙間より、蒸発皿５を抜き取ることができるため清掃の際、蒸発皿５の抜き取り時間が短縮され、作業性は向上される。
【００２６】
（実施の形態２）
図２は、本発明の実施の形態２における自動販売機のドレン水蒸発装置内の庫外熱交換器（桶部材付）の斜視図である。
【００２７】
図３は、本発明の実施の形態２における自動販売機のドレン水蒸発装置内の庫外熱交換器（段部付）の斜視図である。
【００２８】
図２において、庫外熱交換器２のエンドプレート７上には孔８が開いており、リターンベンド９の高さよりも突出するべく桶部材１０が取り付けられている。桶部材１０の下端部は蒸発皿５に連通し、エンドプレート７の外側より内側に傾斜がつくように、孔８を通して配置される。
【００２９】
図３において蒸発皿５は庫外熱交換器２の左右のリターンベンド９間の間隔以上の大きさになるよう構成されており、また庫外熱交換器２のエンドプレート７は蒸発皿５上部で段部１１を形成して蒸発皿５を覆うようにして備えられ、段部１１にはリターンベンド９の幅以上の大きさである開口部１２を形成する。
【００３０】
以上のように構成された自動販売機のドレン水蒸発装置について、以下その動作、作用を説明する。
【００３１】
加温運転中、冷媒の流路であるリターンベンド９は低温となり、リターンベンド９に外気が触れると、リターンベンド９上に水分が結露する。ドレン水は滴下する際、桶部材１０によって蒸発皿５へと導かれるため、自動販売機の庫外にドレン水が漏水することなく。効率よくドレン水を蒸発皿５に回収することができる。また、桶部材１０を配置するかわりに蒸発皿５を庫外熱交換器２の左右のリターンベンド９間の間隔以上の大きさになるよう構成し、庫外熱交換器２のエンドプレート７を蒸発皿５上部で段部１１と開口部１２を形成する場合でも、リターンベンド９上より滴下されるドレン水は開口部１２を介して蒸発皿５に導かれるため、同様の効果を得ることができ、さらに構造を簡易に形成できるので製造時の作業性を向上できる。
【産業上の利用可能性】
【００３２】
以上のように本発明にかかるドレン水蒸発装置を備えた自動販売機は、庫外熱交換器からのドレン水を効率よく蒸発することができ、且つ、蒸発皿を容易に清掃できるようにしているため、サービス性を向上させた自動販売機を提供できる。
【図面の簡単な説明】
【００３３】
【図１】本発明の実施の形態１における自動販売機のドレン水蒸発装置の構成斜視図
【図２】本発明の実施の形態２における自動販売機のドレン水蒸発装置内の庫外熱交換器（桶部材付）の斜視図
【図３】本発明の実施の形態２における自動販売機のドレン水蒸発装置内の庫外熱交換器（段部付）の斜視図
【図４】従来のドレン水蒸発装置の構成斜視図
【符号の説明】
【００３４】
１    圧縮機
２    庫外熱交換器
３    ファン
４    ユニットベース
５    蒸発皿
７    エンドプレート
８    孔
９    リターンベンド
１０  桶部材
１１  段部
１２  開口部
【図１】
2007225249.tif 000003
【図２】
2007225249.tif 000004
【図３】
2007225249.tif 000005
【図４】
2007225249.tif 000006